(57)【特許請求の範囲】
【請求項１】
天板の下方の両側に脚を有するテーブルにおいて、
前記脚の上部に、各種付属部材を係止するための複数の係合孔を、上下方向に並べて設けるとともに、前記脚の上部を覆うカバー部材に、脚に設けた複数の係合孔に対応する長孔を穿設し、この長孔が複数の係合孔に整合するようにして、前記カバー部材を脚の上部に取り付けたことを特徴とするテーブル。
【請求項２】
脚を、天板の四隅に取り付けた脚柱とし、これら脚柱のそれぞれの上部に、複数の係合孔を上下方向に並べて設けた請求項１記載のテーブル。
【請求項３】
係合孔が、脚柱の前後左右の４方向に穿設されている請求項２記載のテーブル。
【請求項４】
カバー部材の上端に、テーブル下面への固定部を形成した請求項１〜３のいずれかに記載のテーブル。
【発明の詳細な説明】
【０００１】
【発明の属する技術分野】
本発明は、天板の下方両側に脚を有するテーブル、特に、その両脚に種々の付属部材を取り付けられるようにしたシステム展開可能なテーブルに関する。
【０００２】
【従来の技術】
従来、脚柱に幕板等の付属部材を取り付ける構造としては、実公平６−４２５０４号公報、登録実用新案第２５３２５０８号公報、登録実用新案第２５５３０７７公報等に記載されているものなどがある。
【０００３】
【発明が解決しようとする課題】
しかし、例えば実公平６−４２５０４号公報に記載のものでは、幕板にだるま孔を有する吊り金具を取付けておき、これを天板の後面に設けた係合ピンに係合させるようにしているため、幕板の非装着状態での美観はよいが、係合ピンに対して取付金具の付いた幕板を、上部から掛け止めるため、テーブルの本体フレームと幕板との間に隙間が発生し、このため、取付金具が露呈して美観を損なう。
【０００４】
また、登録実用新案第２５３２５０８号及び登録実用新案第２５５３０７７公報に開示されている幕板取付装置では、幕板に、脚支柱に取付のための係合孔が設けられており、幕板の非装着状態での美観が悪い。
【０００５】
上記のいずれのテーブルにおいても、オプション部品、すなわち付属部材を取り付けるために、その都度、脚に係合手段を突設するため、面倒であるとともに、工数がふえる。
【０００６】
本発明は、上述の問題点に鑑み、多様なオプション部品、すなわち付属部材の装着を可能とし、容易に執務環境の設定や変更ができ、美観に優れたテーブルを提供することを目的としている。
【０００７】
【課題を解決するための手段】
本発明によると、上記課題は、次のようにして解決される。
(１) 天板の下方の両側に脚を有するテーブルにおいて、前記脚の上部に、各種付属部材を係止するための複数の係合孔を、上下方向に並べて設けるとともに、前記脚の上部を覆うカバー部材に、脚に設けた複数の係合孔に対応する長孔を穿設し、この長孔が複数の係合孔に整合するようにして、前記カバー部材を脚の上部に取り付ける。
【０００８】
(２) 上記(１)項において、脚を、天板の四隅に取り付けた脚柱とし、これら脚柱のそれぞれの上部に、複数の係合孔を上下方向に並べて設ける。
【０００９】
(３) 上記(２)項において、係合孔を、脚柱の前後左右の４方向に穿設する。
する。
【００１０】
(４) 上記(１)〜(３)項のいずれかにおいて、カバー部材の上端に、テーブル下面への固定部を形成する。
【００１１】
【発明の実施の形態】
図１は、本発明テーブルの一実施形態を示す斜視図である。この図から明らかなように、天板(１)の前端の左右の隅には、アジャスター(２)付き円筒状の脚柱(３)が、また、後端の左右の隅には、キャスター(４)付き円筒状の脚柱(５)が、前後方向に延びる脚フレーム(６)により連結されて配設されている。このような単位を左右それぞれに設け、左右の脚フレーム(６)の中間で、左右方向を向く連結杆(７)により結合されて、強固な本体フレームを形成し、その上に天板(１)が取り付けられている。
【００１２】
図２に示すように、脚柱(３)(５)には、好ましくはその上端部に、上下方向に３個ずつの係合孔(８)が列設されている。このような一連の係合孔(８)は、テーブルの前方向、後方向、右方向及び左方向の４方向にそれぞれ穿設されている。
【００１３】
脚柱(３)(５)の上部には、図３に示すカバー部材(９)が取り付けられている。カバー部材(９)は、合成樹脂材料の成型品で、脚柱(３)または(５)の上部に嵌合する筒状部(10)と、脚柱(３)または(５)の上端部と脚フレーム(６)の端部とを覆う基部(11)とからなっている。
【００１４】
筒状部(10)は、前述の脚柱上部の係合孔(８)に対応するように、直交する４方向に長孔(12)を形成してある。また、基部(11)には、その脚フレーム(６)に沿って延びる部分の下部に取付孔(13)が穿設されている。
【００１５】
このようなカバー部材(９)を、図２に示すように、脚柱(３)または(５)に下から挿入して基部(11)を脚フレーム(６)に嵌め込み、図４に示すように取付孔(13)に挿通したボルト(14)を脚フレーム(６)に止め付ける。
このようにすれば、筒状部(10)の長孔(12)は、丁度脚柱の係合孔(８)に整合して、係合孔(８)は、その脇をカバー部材(９)に隠され、それ自体は、奥まりながら外部に露出する位置となる。
【００１６】
図５は、上述のようなテーブルに仕切板(15a)(15b)を取り付ける状況を示す分解斜視図で、仕切板(15a)(15b)の左右両側部には、３個の下向き係止フックを備えた係止部材(16)が取り付けられており、この係止部材(16)の下向き係止フックを、脚柱(３)(５)の係合孔(８)に引っかけて係止する。仕切板(15a)を取り付けた状態が図６に示されている。
【００１７】
図７は、２個向かい合わせに並べたテーブルの側部に、１枚の共通の仕切板(15c)を取り付ける状況を示している。この場合、仕切板(15c)の両側部に取り付けた係止部材(16)の下向き係止フックは、２個のテーブルの側部の外側の脚柱(３)の側方を向いた係合孔(８)に引っかけて係止する。
【００１８】
図８は、幕板(17)をブラケット(18)を用いて取り付ける状況を示している。ブラケット(18)には下向き係止フックが形成されており、この下向き係止フックを脚柱(３)(５)の上部の係合孔(８)に引っかけ、ブラケット(18)に穿設された長孔にボルト(19)を挿通して幕板(17)にねじ止める。
【００１９】
図９は、資料や機器類を載置する棚(20)をテーブルの側部外方に突設する状況を示している。この場合のブラケット(21)には、脚柱(３)(５)の側方で外方を向く係合孔(８)に係止される下向き係止フック(22)から下方に延び、下端で側方に延びる棚受け(23)が設けられている。このようなブラケット(21)を脚柱(３)(５)に取り付けて、棚(20)を載置する。
【００２０】
図１０は、図９に示されている棚(20)を、テーブルの下に設置する状況を示している。この場合、ブラケット(21)は、脚柱(３)(５)の内側の内方を向く係合孔(８)に引っかけて止め、内側を向く棚受け(23)に棚(20)を載置する。
【００２１】
図１１は、２個のテーブルを連結金具(24)を用いて互いに連結する状況を示している。連結金具(24)の両側端には、下向き係止フック(22)が形成されており、この下向き係止フック(22)を、脚柱(３)(５)の内向きの係合孔(８)に引っかけて係止することにより、２個のテーブルを互いに連結する。
【００２２】
図１２は、２個のテーブルの間に、補助テーブル(25)を設ける状況を示している。この場合、２個のテーブルの向かい合う脚柱(３)(５)の側部外方を向く係合孔(８)に、細長いブラケット(26)の両端に形成した下向き係止フック(22)を引っかけて係止し、このブラケット(26)(26)間に補助テーブル(25)を載置する。
【００２３】
【発明の効果】
請求項１記載の発明によれば、多様なオプションの付属部材の装着を可能とし、その取付、組み替えの容易さから、執務環境の設定、変更が容易であり、オプションの付属部材の装着のための加工を予め集約して施すことにより、製造し易く、安価な多機能のテーブルを提供することができる。
また、カバー部材を設けることにより、脚柱の係合孔を奥まらせて外部から見えにくくし、非係合時の外見をよくし、係合時には、ブラケットのふれ止めの役目を果たさせるとともに、脚フレームの溶接箇所を隠して美観を向上させることができる。
【００２４】
請求項２記載の発明によれば、脚の構成を最も単純化し、かついずれの脚柱にも、係合孔を同じように穿設することができる。
【００２５】
請求項３記載の発明によれば、付属部材を、脚柱の前後左右のいずれの方向にも取り付けることができる。
【００２６】
請求項４記載の発明によれば、カバー部材の長孔が脚柱の係合孔に整合するように、カバー部材を確実に位置決めして脚柱に取り付けることができる。
【図面の簡単な説明】
【図１】  本発明のテーブルの一実施形態の斜視図である。
【図２】  同じく、その端部を分解して示す部分拡大斜視図である。
【図３】  同じく、カバー部材の拡大斜視図である。
【図４】  同じく、脚柱上部の拡大縦断側面図である。
【図５】  本発明のテーブルに仕切板を取り付ける状態を示す分解斜視図である。
【図６】  同じく、仕切板を取り付けた状態を示す斜視図である。
【図７】  本発明の２個のテーブルに仕切板を取り付ける状態を示す分解斜視図である。
【図８】  本発明のテーブルに幕板を取り付ける状態を示す分解斜視図である。
【図９】  本発明のテーブルの外側方に棚を取り付ける状態を示す分解斜視図である。
【図１０】  本発明のテーブルの天板下に棚を取り付ける状態を示す分解斜視図である。
【図１１】  本発明の２個のテーブルを連結する状態を示す分解斜視図である。
【図１２】  本発明の２個のテーブルの間に補助テーブルを連結する状態を示す分解斜視図である。
【符号の説明】
(１)天板
(２)アジャスター
(３)脚柱
(４)キャスター
(５)脚柱
(６)脚フレーム
(７)連結杆
(８)係合孔
(９)カバー部材
(10)筒状部
(11)基部
(12)長孔
(13)取付孔
(14)ボルト
(15a)(15b)(15c)仕切板（付属部材）
(16)係止部材
(17)幕板（付属部材）
(18)ブラケット
(19)ボルト
(20)棚（付属部材）
(21)ブラケット
(22)下向き係止フック
(23)棚受け
(24)連結金具
(25)補助天板（付属部材）
(26)ブラケット
【図１】
0004420413.tif 000002
【図２】
0004420413.tif 000003
【図３】
0004420413.tif 000004
【図４】
0004420413.tif 000005
【図５】
0004420413.tif 000006
【図６】
0004420413.tif 000007
【図７】
0004420413.tif 000008
【図８】
0004420413.tif 000009
【図９】
0004420413.tif 000010
【図１０】
0004420413.tif 000011
【図１１】
0004420413.tif 000012
【図１２】
0004420413.tif 000013